(57)【要約】  【課題】従来よりも解錠コードの設定変更が容易に行えるシリンダー錠を提供する。  【解決手段】シリンダ２０の鍵穴２１に解除鍵部材２が通されると、押圧突起２１０に押圧された変位部４２が変位して、付勢突起４４と嵌合溝３２との嵌合が解除されることにより、伝達部材３０との連結が解除されたシリンダ２０が所定の回転位置まで回転できる。この状態では、サイドバー２９の一部分がケース１０内周に形成された収容溝１６に嵌って拡がる結果、タンブラ片２７の組み合わせが変更可能となる。そして、別の通常鍵部材３を鍵穴２１に通すと、タンブラ片２７の組み合わせそれぞれが解錠コードに応じて変更される。その後、通常鍵部材３にてシリンダ２０を元の回転位置に戻すと、タンブラ片２７の組み合わせが固定され、伝達部材３０とシリンダ２０とが連結し直される。こうして、シリンダ２０における解錠コードの設定が変更される。【選択図】図３
2010174508.tif 000002
【特許請求の範囲】
【請求項１】
一端側が閉鎖された筒状の部材であり、該閉鎖された領域から部材内部へ向けて棒状の鍵部材を通すための挿通孔が形成されたケースと、
一端側から他端側へ向けて前記鍵部材の先端側が通される鍵穴が形成されており、前記ケースの他端側から前記ケース内部に収容された状態で、前記鍵穴の長さ方向に沿った軸を中心に回転可能なシリンダと、
前記シリンダの他端側に連結された状態で前記シリンダと共に回転することにより、前記ケースの他端側に設けられる伝達対象へ前記シリンダの回転を伝達する伝達部材と、
前記シリンダにおける鍵穴の他端側に配置され，かつ，該他端から突出する方向に押されて所定方向へ変位する変位部、および、前記シリンダおよび前記伝達部材のいずれか一方から他方の部材に向けて突出するように付勢された付勢突起、を有し、前記変位部が変位していない状態において、前記付勢突起が前記他方の部材に設けられた嵌合溝に嵌合することにより前記シリンダと前記伝達部材とを連結するのに対し、前記変位部が変位している状態において、前記付勢突起が付勢力を打ち消す方向に変位させられて前記嵌合溝と嵌合しなくなることにより前記シリンダと前記伝達部材との連結を解除する連結部材と、
前記伝達部材の前記ケースに対する回転を一定の角度範囲に制限することにより、前記伝達部材と連結されている前記シリンダが一定の角度範囲を超えて回転することを防止する回転制限部材と、を備え、
前記連結部材による連結を解除して前記シリンダを前記一定の角度範囲を超えた所定の回転位置まで回転させてから、任意の解錠コードとなっている前記鍵部材を前記鍵穴に通し、その鍵部材により前記シリンダを元の回転位置に戻すと共に、前記伝達部材と前記シリンダとを連結し直すことによって、前記シリンダにおける解錠コードの設定が変更されるように構成されており、
前記シリンダの鍵穴に、その時点で前記シリンダにおいて設定された解錠コードとなっており，かつ，前記シリンダの鍵穴に通された場合に前記鍵穴の他端から突出する押圧突起を形成してなる前記鍵部材が通されると、該鍵部材の押圧突起に押圧された前記連結部材の変位部が変位し、前記付勢突起と前記嵌合溝との嵌合が解除されることにより、前記伝達部材との連結が解除された前記シリンダが一定の角度範囲を超えて回転可能となるのに対し、
前記前記シリンダの鍵穴に、その時点で前記シリンダにおいて設定された解錠コードとなっており，かつ，前記押圧突起の形成されていない前記鍵部材が通されると、前記連結部材の変位部が変位せず、前記付勢突起と前記嵌合溝との嵌合が維持されることにより、前記伝達部材と連結されている前記シリンダが一定の角度範囲でのみ回転可能となる
ことを特徴とするシリンダ錠。
【請求項２】
前記回転制限部材は、前記ケースに対して変位不能に固定されると共に、前記伝達部材の回転に伴って変位する前記伝達部材の一部分をガイドするガイド溝が、前記シリンダを一定の角度範囲で回転させた場合における前記伝達部材の一部分が通過する領域にのみ形成され、一定の角度範囲を超えて回転しようとする前記伝達部材の一部分を前記ガイド溝以外の領域に接触させることにより、前記伝達部材の前記ケースに対する回転を一定の角度範囲に制限する
ことを特徴とする請求項１に記載のシリンダ錠。
【請求項３】
一端側が閉鎖された筒状の部材であり、該閉鎖された領域から部材内部へ向けて棒状の鍵部材を通すための挿通孔が形成されたケースと、
一端側から他端側へ向けて前記鍵部材の先端側が通される鍵穴が形成されており、前記ケースの他端側から前記ケース内部に収容された状態で、前記鍵穴の長さ方向に沿った軸を中心に回転可能なシリンダと、
前記シリンダの他端側に連結された状態で前記シリンダと共に回転することにより、前記ケースの他端側に設けられる伝達対象へ前記シリンダの回転を伝達する伝達部材と、
前記シリンダにおける鍵穴の他端側に配置され，かつ，該他端から突出する方向に押されて所定方向へ変位する変位部、および、該変位部が変位していない状態で前記伝達部材から突出する方向に付勢され，かつ，前記変位部の変位に伴って前記伝達部材からの突出量が減少する付勢突起、を有する連結部材と、
前記連結部材における付勢突起が前記伝達部材から一定量以上突出している状態において、前記伝達部材の回転に伴って変位する前記付勢突起をガイドするガイド溝が、前記伝達部材を一定の角度範囲で回転させた場合に前記付勢突起が通過する領域にのみ形成され、一定の角度範囲を超えて回転しようとする前記付勢突起を前記ガイド溝以外の領域に接触させることにより、前記伝達部材と連結されている前記シリンダが一定の角度範囲を超えて回転することを防止する回転制限部材と、を備え、
前記連結部材における付勢突起の突出量を減少させることで前記回転制限部材による回転の制限を解除し、前記シリンダを前記一定の角度範囲を超えた所定の回転位置まで回転させてから、任意の解錠コードとなっている前記鍵部材を前記鍵穴に通し、その鍵部材により前記シリンダを元の回転位置に戻すと共に、前記連結部材における付勢突起を突出させることで前記回転制限部材による回転の制限を再開させることによって、前記シリンダにおける解錠コードの設定が変更されるように構成されており、
前記シリンダの鍵穴に、その時点で前記シリンダにおいて設定された解錠コードとなっており，かつ，前記シリンダの鍵穴に通された場合に前記鍵穴の他端から突出する押圧突起を形成してなる前記鍵部材が通されると、該鍵部材の押圧突起に押圧された前記連結部材の変位部が変位して付勢突起の突出量が減少し、前記回転制限部材による回転の制限が解除されることにより、前記シリンダが一定の角度範囲を超えて回転可能となるのに対し、
前記シリンダの鍵穴に、その時点において前記鍵部材が通されていない，または，前記シリンダにおいて設定された解錠コードとなっている通常の前記鍵部材が通されると、前記連結部材の変位部が変位せず、該連結部材における付勢突起の突出量と共に前記回転制限部材による回転の制限が維持されることにより、前記シリンダが一定の角度範囲でのみ回転可能となる
ことを特徴とするシリンダ錠。
【請求項４】
前記連結部材は、
前記シリンダにおける鍵穴の他端側に取り付けられた板状の部材である変位部が、その長手方向の一端から他端へ向かう方向へと付勢されると共に、前記変位部における長手方向の他端側から前記付勢突起が突出しており、
さらに、前記変位部に、前記押圧突起において前記変位部の一端側に位置することとなる押圧面と接触させるべく接触面が設けられ、該接触面が、前記押圧面との間で０度より大きく９０度未満の角度を形成している
ことを特徴とする請求項１から３のいずれかに記載のシリンダ錠。
【請求項５】
請求項１から４のいずれかに記載のシリンダ錠と、
所定の解錠コードとなっており，かつ，前記押圧突起が形成されてなる鍵部材と、
該鍵部材と同じ解除コードとなっており，かつ，前記押圧突起が形成されていない鍵部材と、からなる
ことを特徴とする施錠・解錠システム。
【発明の詳細な説明】
【技術分野】
【０００１】
本発明は、一端側が閉鎖された筒状のケースと、このケース内部に収容された状態で長さ方向に沿った軸を中心にして回転可能なシリンダと、シリンダと共に回転することで伝達対象へシリンダの回転を伝達する伝達部材と、からなるシリンダ錠に関する。
【背景技術】
【０００２】
上記のようなシリンダ錠は、通常、シリンダの回転角が一定範囲に限定されているが、その限定を解除してシリンダを所定の回転位置まで回転させ、任意の解錠コードとなっている鍵部材を鍵穴に通してシリンダを元の回転位置に戻すと共に、シリンダの回転角を再度限定することにより、解錠コードの設定を変更できるものもある（特許文献１参照）。
【先行技術文献】
【特許文献】
【０００３】
【特許文献１】特開２００８−１０１３９２号公報
【発明の概要】
【発明が解決しようとする課題】
【０００４】
しかし、上述したようなシリンダ錠においては、シリンダの回転角の限定を解除するにあたり、伝達部材周辺に設けられた操作部（リセットレバー）を操作する構成となっているため、このシリンダ錠を設置した以降、解錠コードの設定変更が必ずしも容易とはいえない。
【０００５】
具体的にいえば、シリンダ錠を設置した以降は、伝達部材の周辺が設置対象の扉などで内部に収容されてしまうため、解錠コードの設定を変更するには、シリンダ錠を解錠して設置対象の扉を開けることで伝達部材の周辺を露出させなければならない。
【０００６】
このとき、伝達部材の周辺を露出させて操作部を操作する空間を充分に確保できればまだしも、そのような空間が充分に確保できない設置条件においては、解錠コードの設定変更が容易に行えなくなってしまう。
【０００７】
本発明は、このような課題を解決するためになされたものであり、その目的は、従来よりも解錠コードの設定変更が容易に行えるシリンダ錠を提供することである。
【課題を解決するための手段】
【０００８】
上記課題を解決する第１の構成（請求項１）は、一端側が閉鎖された筒状の部材であり、該閉鎖された領域から部材内部へ向けて棒状の鍵部材を通すための挿通孔が形成されたケースと、一端側から他端側へ向けて前記鍵部材の先端側が通される鍵穴が形成されており、前記ケースの他端側から前記ケース内部に収容された状態で、前記鍵穴の長さ方向に沿った軸を中心に回転可能なシリンダと、前記シリンダの他端側に連結された状態で前記シリンダと共に回転することにより、前記ケースの他端側に設けられる伝達対象へ前記シリンダの回転を伝達する伝達部材と、前記シリンダにおける鍵穴の他端側に配置され，かつ，該他端から突出する方向に押されて所定方向へ変位する変位部、および、前記シリンダおよび前記伝達部材のいずれか一方から他方の部材に向けて突出するように付勢された付勢突起、を有し、前記変位部が変位していない状態において、前記付勢突起が前記他方の部材に設けられた嵌合溝に嵌合することにより前記シリンダと前記伝達部材とを連結するのに対し、前記変位部が変位している状態において、前記付勢突起が付勢力を打ち消す方向に変位させられて前記嵌合溝と嵌合しなくなることにより前記シリンダと前記伝達部材との連結を解除する連結部材と、前記伝達部材の前記ケースに対する回転を一定の角度範囲に制限することにより、前記伝達部材と連結されている前記シリンダが一定の角度範囲を超えて回転することを防止する回転制限部材と、を備えている。
【０００９】
また、前記連結部材による連結を解除して前記シリンダを前記一定の角度範囲を超えた所定の回転位置まで回転させてから、任意の解錠コードとなっている前記鍵部材を前記鍵穴に通し、その鍵部材により前記シリンダを元の回転位置に戻すと共に、前記伝達部材と前記シリンダとを連結し直すことによって、前記シリンダにおける解錠コードの設定が変更されるように構成されている。
【００１０】
そして、前記シリンダの鍵穴に、その時点で前記シリンダにおいて設定された解錠コードとなっており，かつ，前記シリンダの鍵穴に通された場合に前記鍵穴の他端から突出する押圧突起を形成してなる前記鍵部材が通されると、該鍵部材の押圧突起に押圧された前記連結部材の変位部が変位し、前記付勢突起と前記嵌合溝との嵌合が解除されることにより、前記伝達部材との連結が解除された前記シリンダが一定の角度範囲を超えて回転可能となる。それに対し、前記前記シリンダの鍵穴に、その時点で前記シリンダにおいて設定された解錠コードとなっており，かつ，前記押圧突起の形成されていない前記鍵部材が通されると、前記連結部材の変位部が変位せず、前記付勢突起と前記嵌合溝との嵌合が維持されることにより、前記伝達部材と連結されている前記シリンダが一定の角度範囲でのみ回転可能となる。
【００１１】
このシリンダ錠では、設定済みの解錠コードとなっている通常鍵部材を鍵穴に通してシリンダを回転させたとしても、このシリンダは一定の角度範囲までしか回転せず、解錠コードを設定するための回転位置にまで到達することはない。このとき、一定の角度範囲内の回転に伴う伝達部材の動作を伝達対象へ伝達させることで施錠，解錠が実現される。
【００１２】
それに対し、設定済みの解錠コードとなっており，かつ，押圧突起が形成された解除鍵部材を鍵穴に通してシリンダを回転させると、このシリンダは、伝達部材との連結が解かれるため、一定の角度範囲を超えて解錠コードを設定するための回転位置にまで到達できるようになる。そのため、この回転位置において、鍵穴に通す鍵部材を別の解錠コードの通常鍵部材に入れ替えて回転位置を元に戻すことで容易に解錠コードの設定変更を行うことができる。
【００１３】
このように、本シリンダ錠では、通常鍵部材とは別に、同じ解錠コードとなっている解除鍵部材を用意しておくことにより、通常鍵部材を用いる場合と同様に鍵部材を通して回転させる動作を行うことで容易に解錠コードの設定変更を行うことができる。その結果、シリンダ錠を設置した以降、解錠コードの設定を変更するためだけに設置対象外部に伝達部材の周辺を露出させる必要はなくなる。
【００１４】
さらに、伝達部材の周辺を露出させなくてもよいため、設置対象外部に伝達部材の周辺を露出させるに足りる充分な空間を確保できない設置条件であっても、容易に解錠コードの設定変更を行うことができるようになる。
【００１５】
この構成における回転制御部材は、伝達部材と連結されているシリンダが一定の角度範囲を超えて回転することを防止するために伝達部材のケースに対する回転を一定の角度範囲に制限できればよく、その具体的な構成は特に限定されない。
【００１６】
例えば、以下に示す第２の構成（請求項２）のようにするとよい。
【００１７】
この構成において、前記回転制限部材は、前記ケースに対して変位不能に固定されると共に、前記伝達部材の回転に伴って変位する前記伝達部材の一部分をガイドするガイド溝が、前記シリンダを一定の角度範囲で回転させた場合における前記伝達部材の一部分が通過する領域にのみ形成され、一定の角度範囲を超えて回転しようとする前記伝達部材の一部分を前記ガイド溝以外の領域に接触させることにより、前記伝達部材の前記ケースに対する回転を一定の角度範囲に制限する。
【００１８】
この構成であれば、回転制限部材は、シリンダを一定の角度範囲で回転させた場合に伝達部材の一部分が通過する領域にのみガイド溝が形成されており、伝達部材の一部分がガイド溝から外れて回転するような動作を制限するように作用するため、これにより、伝達部材のケースに対する回転を一定の角度範囲に制限することができる。
【００１９】
また、上記課題を解決するためになされた第３の構成（請求項３）は、一端側が閉鎖された筒状の部材であり、該閉鎖された領域から部材内部へ向けて棒状の鍵部材を通すための挿通孔が形成されたケースと、一端側から他端側へ向けて前記鍵部材の先端側が通される鍵穴が形成されており、前記ケースの他端側から前記ケース内部に収容された状態で、前記鍵穴の長さ方向に沿った軸を中心に回転可能なシリンダと、前記シリンダの他端側に連結された状態で前記シリンダと共に回転することにより、前記ケースの他端側に設けられる伝達対象へ前記シリンダの回転を伝達する伝達部材と、前記シリンダにおける鍵穴の他端側に配置され，かつ，該他端から突出する方向に押されて所定方向へ変位する変位部、および、該変位部が変位していない状態で前記伝達部材から突出する方向に付勢され，かつ，前記変位部の変位に伴って前記伝達部材からの突出量が減少する付勢突起、を有する連結部材と、前記連結部材における付勢突起が前記伝達部材から一定量以上突出している状態において、前記伝達部材の回転に伴って変位する前記付勢突起をガイドするガイド溝が、前記伝達部材を一定の角度範囲で回転させた場合に前記付勢突起が通過する領域にのみ形成され、一定の角度範囲を超えて回転しようとする前記付勢突起を前記ガイド溝以外の領域に接触させることにより、前記伝達部材と連結されている前記シリンダが一定の角度範囲を超えて回転することを防止する回転制限部材と、を備えている。
【００２０】
また、前記連結部材における付勢突起の突出量を減少させることで前記回転制限部材による回転の制限を解除し、前記シリンダを前記一定の角度範囲を超えた所定の回転位置まで回転させてから、任意の解錠コードとなっている前記鍵部材を前記鍵穴に通し、その鍵部材により前記シリンダを元の回転位置に戻すと共に、前記連結部材における付勢突起を突出させることで前記回転制限部材による回転の制限を再開させることによって、前記シリンダにおける解錠コードの設定が変更されるように構成されている。
【００２１】
そして、前記シリンダの鍵穴に、その時点で前記シリンダにおいて設定された解錠コードとなっており，かつ，前記シリンダの鍵穴に通された場合に前記鍵穴の他端から突出する押圧突起を形成してなる前記鍵部材が通されると、該鍵部材の押圧突起に押圧された前記連結部材の変位部が変位して付勢突起の突出量が減少し、前記回転制限部材による回転の制限が解除されることにより、前記シリンダが一定の角度範囲を超えて回転可能となる。これに対し、前記シリンダの鍵穴に、その時点において前記鍵部材が通されていない，または，前記シリンダにおいて設定された解錠コードとなっている通常の前記鍵部材が通されると、前記連結部材の変位部が変位せず、該連結部材における付勢突起の突出量と共に前記回転制限部材による回転の制限が維持されることにより、前記シリンダが一定の角度範囲でのみ回転可能となる。
【００２２】
このシリンダ錠は、設定済みの解錠コードとなっている通常鍵部材を鍵穴に通してシリンダを回転させると、このシリンダは一定の角度範囲までしか回転せず、解錠コードを設定するための回転位置にまで到達することはない。このとき、一定の角度範囲内の回転に伴う伝達部材の動作を伝達対象へ伝達させることで施錠，解錠が実現される。
【００２３】
それに対し、設定済みの解錠コードとなっており，かつ，押圧突起が形成された解除鍵部材を鍵穴に通してシリンダを回転させると、このシリンダは、回転制限部材による回転の制限が解かれるため、一定の角度範囲を超えて解錠コードを設定するための回転位置にまで到達するようになる。そのため、この回転位置において、鍵穴に通す鍵部材を別の解錠コードの通常鍵部材に入れ替えて回転位置を元に戻すことで容易に解錠コードの設定変更を行うことができる。
【００２４】
このように、本シリンダ錠では、通常鍵部材とは別に、同じ解錠コードとなっている解除鍵部材を用意しておくことにより、通常鍵部材を用いる場合と同様に鍵部材を回転させる動作を行うことで容易に解錠コードの設定変更を行うことができる。その結果、シリンダ錠を設置した以降、解錠コードの設定を変更するためだけに設置対象外部に伝達部材の周辺を露出させる必要はなくなる。
【００２５】
さらに、伝達部材の周辺を露出させなくてもよいため、設置対象外部に伝達部材の周辺を露出させるに足りる充分な空間を確保できない設置条件であっても、容易に解錠コードの設定変更を行うことができるようになる。
【００２６】
また、上記各構成において、連結部材は、どのような構成としてもよいが、以下に示す第４の構成（請求項４）のようにするとよい。
【００２７】
この構成において、前記連結部材は、前記シリンダにおける鍵穴の他端側に取り付けられた板状の部材である変位部が、その長手方向の一端から他端へ向かう方向へと付勢されると共に、前記変位部における長手方向の他端側から前記付勢突起が突出している。さらに、前記変位部に、前記押圧突起において前記変位部の一端側に位置することとなる押圧面と接触させるべく接触面が設けられ、該接触面が、前記押圧面との間で０度より大きく９０度未満の角度を形成している。
【００２８】
この構成であれば、連結部材は、押圧突起から突出する方向の力を受けると、変位部が、押圧突起における押圧面にて付勢力を打ち消す方向へ押されながら、この押圧面に沿ってスライドしていく。こうして、連結部材の変位が実現される。
【００２９】
また、上記課題を解決するため第５の構成（請求項５）は、上記第１から第４のいずれかの構成に係るシリンダ錠と、所定の解錠コードとなっており，かつ，前記押圧突起が形成されてなる鍵部材と、該鍵部材と同じ解除コードとなっており，かつ，前記押圧突起が形成されていない鍵部材と、からなることを特徴とする施錠・解錠システムである。
【００３０】
このシステムであれば、上記第１から第４のいずれかの構成に係るシリンダ錠と同様の作用，効果を得ることができる。
【図面の簡単な説明】
【００３１】
【図１】第１実施形態における施錠・解錠システムの構成を示す斜視図
【図２】第１実施形態におけるシリンダ錠の構成を示す断面図
【図３】第１実施形態においてシリンダと伝達部材との連結が解除される様子を示す図
【図４】鍵部材の押圧突起と連結部材との形状についての変形例
【図５】第１実施形態において回転制御部材の構成を示す断面図および平面図
【図６】第１実施形態において解錠コードを変更する操作の様子を示す図
【図７】別の実施形態における施錠・解錠システムの構成を示す斜視図
【図８】第２実施形態における施錠・解錠システムの構成を示す斜視図
【図９】第２実施形態におけるシリンダ錠の構成を示す断面図
【図１０】第２実施形態において回転制御部材の構成を示す断面図および平面図
【図１１】第２実施形態においてシリンダと伝達部材との連結が解除される様子を示す図
【図１２】第２実施形態において解錠コードを変更する操作の様子を示す図
【発明を実施するための形態】
【００３２】
以下に本発明の実施形態を図面と共に説明する。
（１）第１実施形態
施錠・解錠システムは、図１，図２に示すように、シリンダ錠１と、棒状の解除鍵部材２および通常鍵部材３と、からなる。
【００３３】
これらのうち、シリンダ錠１は、ケース１０と、シリンダ２０と、伝達部材３０と、連結部材４０と、回転制限部材５０と、を備えている。
【００３４】
ケース１０は、一端（図１における左）側が閉鎖された筒状（本実施形態では、円筒状）の部材であり、この閉鎖された領域から部材内部へ向けて鍵部材２，３の先端側を通すための挿通孔１２が形成されている。
【００３５】
なお、本実施形態におけるケース１０は、シリンダ錠１をパチンコ機などの遊技機における扉の開閉を施錠，解錠するために用いるケースとして構成されたものであり、その他端側から延出する延出部１４のネジ止めによりパチンコ機に取り付けられる。
【００３６】
シリンダ２０は、一端側から他端（図１における右）側へ向けて鍵部材２，３の先端側を通すための鍵穴２１が形成された円柱の部材であり、ケース１０の他端側からケース１０内部に収容された状態で、鍵穴２１の長さ方向に沿った軸を中心に回転可能となる。
【００３７】
このシリンダ２０には、それぞれ円柱の長さ方向と交差する面状に形成された１以上のタンブラ収容溝２５が、その長さ方向に沿って配列しており、このタンブラ収容溝２５それぞれに、シリンダ錠１の解除コードを設定するためのタンブラ２７が収容されている。
【００３８】
このタンブラ２７は、鍵穴２１を取り囲むように配置された２つのタンブラ片２７ａ，２７ｂを任意のパターンで組み合わせたものであり、それぞれのタンブラ片２７ａ，２７ｂが、シリンダ２０の長手方向に沿って配置されたサイドバー２９ａ，２９ｂに挟まれて固定されている。
【００３９】
なお、このサイドバー２９ａ，２９ｂは、鍵穴２１から離れる方向に付勢されているが、通常時、外周面がケース１０における最も内側（内径が最小）の内周面と接触しており、サイドバー２９ａ，２９ｂが付勢力で拡がらないように保持されているため、その付勢力と無関係にタンブラ片２７ａ，２７ｂの組み合わせパターンを固定している。
【００４０】
伝達部材３０は、シリンダ２０の他端から延びる延出部２３に対して回転可能に嵌め込まれ、連結部材４０によってシリンダ２０と連結される。そして、こうして連結された状態でシリンダ２０と共に回転することにより、ケース１０の他端側（本実施形態では伝達部材３０の他端）に設けられる伝達対象（不図示）へシリンダ２０の回転を伝達する。
【００４１】
連結部材４０は、シリンダ２０と伝達部材３０との連結，および，連結の解除を行うための部材であり、図３に示すように、連結部材４０本体である変位部４２と、この変位部４２における長手方向の他端（図３における下）側に向けて突出する付勢突起４４と、で構成されている。
【００４２】
この変位部４２は、シリンダ２０における鍵穴２１の他端側に取り付けられた板状の部材であり、その長手方向の一端から他端へ向かう方向（図３における上から下の方向）へと付勢されている（同図（ａ）参照）。
【００４３】
また、この変位部４２は、鍵穴２１から突出する部材（鍵部材２の押圧突起２１０）の先端形状と、この先端を嵌合させるべく変位部４２に形成された変位孔４６の内周形状と、により、鍵穴２１から突出する方向の力を受けている間、長手方向の他端から一端へ向かう方向（図３における下から上の方向）に変位するように構成されている（同図（ｂ）参照）。
【００４４】
このための構成として、本実施形態では、鍵穴２１から突出する押圧突起２１０の先端形状における変位部４２の一端側に位置する上面２１０ａが先端（図３における右方向）へ向かう）ほど変位部４２の一端（同図における下方向）に近づく傾斜面とされていることを前提に、変位孔４６の内周形状における変位部４２の一端側に位置する底面４６ａが、鍵穴２１の長さ方向（図３における左右方向）に沿った平面とされている。
【００４５】
これにより、変位部４２は、押圧突起２１０が鍵穴２１から突出すると、変位孔４６における底面４６ａが、その押圧突起２１０における上面２１０ａで付勢力を打ち消す方向へ押されながら上面２１０ａに沿ってスライドしていくことにより、長手方向の他端から一端へ向かう方向に変位する（図３（ｂ）参照）。
【００４６】
このような連結部材４０は、変位部４２が変位していない状態において、付勢突起４４をシリンダ２０から伝達部材３０に向けて突出させ、伝達部材３０に設けられた嵌合溝３２に嵌合させることにより、シリンダ２０と伝達部材３０とを連結する（図３（ａ）参照）。そして、押圧突起２１０により押されている状態では、変位部４２が付勢力を打ち消す方向に変位する結果、この変位部４２から突出する付勢突起４４が嵌合溝３２と嵌合しなくなることにより、シリンダ２０と伝達部材３０との連結を解除する（図３（ｂ）参照）。
【００４７】
なお、鍵穴２１から突出する押圧突起２１０の先端形状と、この先端を嵌合させるべく変位部４２に形成された変位孔４６の内周形状と、は、変位部４２を変位させることができれば、どのような関係であってもよい。例えば、押圧突起２１０の上面が、その突出する方向に沿った平面２１０ｂとされていることを前提とした場合には、図４（ａ），（ｂ）に示すように、変位孔４６の内周形状における底面４６ｂを、押圧突起２１０の先端側へ向かう（図３における右方向）ほど変位部４２の一端に近づく傾斜面とすればよい。
【００４８】
回転制限部材５０は、ケース１０に対して変位不能に固定された状態で、伝達部材３０のケース１０に対する回転を一定の角度範囲に制限することにより、伝達部材３０と連結されているシリンダ２０が一定の角度範囲を超えて回転することを防止する。
【００４９】
本実施形態において、この回転制限部材５０は、図５に示すように、伝達部材３０の回転に伴って変位する伝達部材３０の変位突起３４をガイドするガイド溝５２が、シリンダ２０を一定の角度範囲で回転させた場合に変位突起３４が通過する領域にのみ形成されている。そのため、伝達部材３０が一定の角度範囲を超えて回転しようとすると、変位突起３４がガイド溝５２以外の領域に接触することになり、こうして、伝達部材３０のケース１０に対する回転を一定の角度範囲に制限する。
【００５０】
このように構成されたシリンダ錠１では、シリンダ２０の鍵穴２１に、シリンダ２０において設定された解錠コードとなっており，かつ，押圧突起の形成されていない鍵部材（以降「通常鍵部材」という）３が通されると、連結部材４０の変位部が変位しない。そのため、付勢突起４４と嵌合溝３２との嵌合が維持され、伝達部材３０と連結されているシリンダ２０が一定の角度範囲でのみ回転可能となる。
【００５１】
このとき、伝達部材３０がシリンダ２０と共に一定の角度範囲でのみ回転し、ケース１０の他端側に設けられる伝達対象へとシリンダ２０の回転が伝達される，つまり施錠・解錠動作が実現されることとなる。
【００５２】
このとき、サイドバー２９ａ，２９ｂそれぞれは、その外周面がケース１０における最も内側の内周面と接触しており、付勢力で拡がらないように保持されたままである。そのため、サイドバー２９ａ，２９ｂの付勢力とは無関係にタンブラ片２７ａ，２７ｂの組み合わせパターンが固定されている（図６（ａ）参照）。
【００５３】
それに対し、シリンダ２０の鍵穴２１に、シリンダ２０において設定された解錠コードとなっており，かつ，シリンダ２０の鍵穴２１に通された場合に鍵穴２１の他端から突出する押圧突起２１０を形成してなる鍵部材（以降「解除鍵部材」という）２が通されると、押圧突起２１０に押圧された連結部材４０の変位部４２が変位する。これにより、付勢突起４４と嵌合溝３２との嵌合が解除されるため（図３（ａ）→（ｂ）参照）、伝達部材３０との連結が解除されたシリンダ２０が一定の角度範囲を超えて回転可能となる。
【００５４】
こうして、シリンダ２０を一定の角度範囲を超えた所定の回転位置まで回転させた状態では、サイドバー２９ａ，２９ｂの一方または両方における一部分がケース１０の内周面に形成された収容溝１６に嵌るように拡がり、サイドバー２９ａ，２９ｂに押さえられていたタンブラ片２７ａ，２７ｂの組み合わせパターンが変更可能になる（図６（ｂ）参照）。
【００５５】
具体的にいえば、この状態で、任意の解錠コードとなっている通常鍵部材３を鍵穴２１に通すと、この通常鍵部材３が、タンブラ片２７ａ，２７ｂの組み合わせそれぞれを解錠コードに応じて変更しながら鍵穴２１を通っていく。
【００５６】
その後、その通常鍵部材３によりシリンダ２０を元の回転位置に戻すと、サイドバー２９ａ，２９ｂそれぞれの外周面がケース１０における最も内側の内周面と接触するようになる。こうして、タンブラ片２７ａ，２７ｂの組み合わせが固定されると共に、伝達部材３０とシリンダ２０とが連結し直される。
【００５７】
このようにして、シリンダ２０における解錠コードの設定が変更されることとなる。
【００５８】
このように、シリンダ錠１では、通常鍵部材３とは別に、同じ解錠コードとなっている解除鍵部材２を用意しておくことにより、通常鍵部材３を用いる場合と同様に鍵部材を回転させる動作を行うことで容易に解錠コードの設定変更を行うことができる。その結果、シリンダ錠１を設置した以降、解錠コードの設定を変更するためだけに設置対象外部に伝達部材３０の周辺を露出させる必要はなくなる。
【００５９】
そのため、設置対象外部に伝達部材３０の周辺を露出させるに足りる充分な空間を確保できない設置条件であっても、容易に解錠コードの設定変更を行うことができるようになる。
【００６０】
また、解除鍵部材２は、通常鍵部材３と同じ解錠コードとされた鍵部材に押圧突起２１０が形成されたものであり、その時点における解錠コードを変更するに際しては、同じ解錠コードとなっている解除鍵部材２を用いなければならない。
【００６１】
つまり、解錠コードを変更する際には、その時点における解錠コードとなっていない解除鍵部材２を用いようとしても、押圧突起２１０が連結部材４０にまで到達せず、適切に解錠コードを変更することはできない。これにより、その時点における解錠コードの解除鍵部材２を所持していない者が不正に解錠コードを変更してしまう、といった事態を効果的に防止することができる。
【００６２】
なお、本実施形態において、ケース１０は、他端側から延出する延出部をネジ止めすることにより遊技機であるパチンコ機に取り付けられるように構成されている。
【００６３】
しかし、このケース１０については、図７に示すように、スロットマシンなどの遊技機に取り付けるべく、延出部が形成されていない構成とすることも考えられる。
【００６４】
スロットマシンなどの遊技機では、施錠・解錠動作を司る伝達対象が、シリンダ錠１を取り付ける位置よりも装置内部に離れて設けられていることが多いため、通常、伝達部材３０と伝達対象とが直接的に連結されることはなく、伝達部材３０と伝達対象との間に回転を伝達するための別部材を介在させることが一般的である。特に、伝達部材３０と伝達対象との距離は、遊技機の種類に応じて異なるため、遊技機の種類に応じた長さの別部材を用意することになる。
【００６５】
このような状況下では、特許文献１に示したようなシリンダ錠のように、伝達部材周辺に設けられた操作部で解錠コードの変更を行う構成としてしまうと、その操作部を装置外部に露出させることができなくなってしまうため、結果的に解錠コードの変更が困難になってしまう。
【００６６】
ところが、本実施形態のように、解除鍵部材２による動作で解錠コードの設定変更を行うことができる構成であれば、伝達部材３０と伝達対象との距離や、遊技機の種類に応じた長さの別部材などと無関係に、解錠コードの設定変更を容易に実現できる。
（２）第２実施形態
本実施形態の施錠・解錠システムは、図８，図９に示すように、シリンダ錠１と、上記実施形態と同様の解除鍵部材２および通常鍵部材３と、からなる。
【００６７】
これらのうち、シリンダ錠１は、図８，図９に示すように、ケース１０と、シリンダ２０と、伝達部材３０と、連結部材４０と、回転制限部材５０と、を備えている。
【００６８】
ケース１０は、上記実施形態と同様、一端側が閉鎖された筒状の部材であり、この閉鎖された領域から部材内部へ向けて挿通孔１２が形成されている。
【００６９】
なお、本実施形態におけるケース１０は、シリンダ錠１をコイン等貸し出す用の機械などにおける扉の開閉を施錠，解錠するために用いるケースとして構成されたものであり、長さ方向における所定位置に形成されたフランジ部と、フランジ部から他端側に至る領域に形成されたネジ山と、により取り付けが実現される。具体的には、一端側からフランジ部までの領域を機械外部に露出させ、フランジ部から他端側の領域を機械内部に収容した状態で、この領域であるネジ山をボルトで固定することで取り付けが実現される。
【００７０】
シリンダ２０は、上記実施形態と同様、一端側から他端側へ向けて鍵部材２，３の先端側を通すための鍵穴２１が形成された円柱の部材であり、ケース１０の他端側からケース１０内部に収容された状態で、鍵穴２１の長さ方向に沿った軸を中心に回転可能となる。
【００７１】
伝達部材３０は、シリンダ２０の他端側においてシリンダ２０と一体に形成されており、シリンダ２０と共に回転することで、ケース１０の他端側に設けられる伝達対象へシリンダ２０の回転を伝達する。
【００７２】
連結部材４０は、シリンダ２０における鍵穴２１の他端側に配置され，かつ，この他端から突出する方向に押されて所定方向へ変位する変位部４２と、この変位部４２が変位していない状態で伝達部材３０から突出する方向に付勢され，かつ，変位部４２の変位に伴って伝達部材３０からの突出量が減少する付勢突起４４と、を有している。
【００７３】
回転制限部材５０は、図１０に示すように、伝達部材３０の回転に伴って変位する連結部材４０の付勢突起４４をガイドするガイド溝５２が、伝達部材３０を一定の角度範囲で回転させた場合に付勢突起４４が通過する領域にのみ形成され、一定の角度範囲を超えて回転しようとする付勢突起４４をガイド溝５２以外の領域に接触させることにより、伝達部材３０と連結されているシリンダ２０が一定の角度範囲を超えて回転することを防止する。
【００７４】
このように構成されたシリンダ錠１では、シリンダ２０の鍵穴２１に、鍵部材が通されていない，または，通常鍵部材３が通されると、連結部材４０の変位部４２が変位しない。そのため、伝達部材３０からの付勢突起４４の突出量と共に回転制限部材５０による回転の制限が維持され（図１１（ａ）参照）、シリンダ２０が一定の角度範囲でのみ回転可能となる。このとき、伝達部材３０を介して、ケース１０の他端側に設けられる伝達対象へとシリンダ２０の回転が伝達される，つまり施錠・解錠動作が実現されることとなる。
【００７５】
それに対し、シリンダ２０の鍵穴２１に、解除鍵部材２が通されると、この鍵部材２の押圧突起２１０に押圧された連結部材４０の変位部４２が変位すると共に伝達部材３０からの付勢突起４４の突出量が減少する。これにより、回転制限部材５０による回転の制限が解除されて（図１１（ａ）→（ｂ）参照）、シリンダ２０が一定の角度範囲を超えて回転可能となる。
【００７６】
こうして、シリンダ２０を一定の角度範囲を超えた所定の回転位置まで回転させた状態で、任意の解錠コードとなっている通常鍵部材３を鍵穴２１に通すと、上記実施形態と同様、この通常鍵部材３が、タンブラ片２７ａ，２７ｂの組み合わせパターンそれぞれを解錠コードに応じて変更しながら鍵穴２１を通っていく（図１２（ｂ）参照）。
【００７７】
その後、その通常鍵部材３によりシリンダ２０を元の回転位置に戻すと、タンブラ片２７ａ，２７ｂの組み合わせが固定されると共に、回転制限部材５０による回転の制限が再開される。
【００７８】
このようにして、シリンダ２０における解錠コードの設定が変更されることとなる。
【００７９】
このように、本シリンダ錠１では、通常鍵部材３とは別に、同じ解錠コードとなっている解除鍵部材２を用意しておくことにより、通常鍵部材３を用いる場合と同様に鍵部材を回転させる動作を行うことで容易に解錠コードの設定変更を行うことができる。その結果、シリンダ錠１を設置した以降、解錠コードの設定を変更するためだけに設置対象外部に伝達部材３０の周辺を露出させる必要はなくなる。
【００８０】
そのため、設置対象外部に伝達部材３０の周辺を露出させるに足りる充分な空間を確保できない設置条件であっても、容易に解錠コードの設定変更を行うことができるようになる。
（３）変形例
以上、本発明の実施の形態について説明したが、本発明は、上記実施形態に何ら限定されることはなく、本発明の技術的範囲に属する限り種々の形態をとり得ることはいうまでもない。
【００８１】
例えば、上記実施形態においては、連結部材４０における変位部４２が、押圧突起２１０の先端形状と変位孔４６の内周形状とにより、長手方向の他端から一端へ向かう方向に変位できるように構成されている。
【００８２】
しかし、変位部４２をその長手方向の他端から一端へ向かう方向に変位させるための構成は、この構成に限られない。例えば、変位部４２に、押圧突起２１０において変位部４２の一端側に位置することとなる押圧面と接触させるべく接触面を設け、この接触面が、押圧面との間で０度より大きく９０度未満の角度を形成するように構成すればよい。
【符号の説明】
【００８３】
１…シリンダ錠、２…解除鍵部材、３…通常鍵部材、１０…ケース、１２…挿通孔、１４…延出部、１６…収容溝、２０…シリンダ、２１…鍵穴、２３…延出部、２５…タンブラ収容溝、２７…タンブラ、２７ａ…タンブラ片、２７ｂ…タンブラ片、２９ａ…サイドバー、２９ｂ…サイドバー、３０…伝達部材、３２…嵌合溝、３４…変位突起、４０…連結部材、４２…変位部、４４…付勢突起、４６…変位孔、４６ａ…底面、４６ｂ…底面、５０…回転制限部材、５２…ガイド溝、２１０…押圧突起、２１０ａ…上面、２１０ｂ…平面。
【図１】
2010174508.tif 000003
【図２】
2010174508.tif 000004
【図５】
2010174508.tif 000005
【図６】
2010174508.tif 000006
【図７】
2010174508.tif 000007
【図８】
2010174508.tif 000008
【図９】
2010174508.tif 000009
【図１０】
2010174508.tif 000010
【図１２】
2010174508.tif 000011
【図３】
2010174508.tif 000012
【図４】
2010174508.tif 000013
【図１１】
2010174508.tif 000014